(57)【要約】【課題】小型、省エネ、低コストで、飲料の種類が拡大できる飲料抽出機を提供する。【解決手段】飲料水を加熱する加熱装置（図示せず）と、飲料パック（図示せず）を開封し熱湯を吐出する第一のインジェクター１３と容器（図示せず）を連通する第一の抽出経路１６の途中に配された経路切替装置２１と、経路切替装置２１と第二の抽出経路２３を介して連通し熱湯を吐出する第二のインジェクター２２を備え、経路切替装置２１は通常第二の抽出経路２３に連通し、切替軸３２の動作で第一の抽出経路１６に切替える経路切替弁３３と、ダイヤル（図示せず）の動作に連動するカム３６のカム作用部３５で切替軸３２に作用し第一の抽出経路１６に切替える作用レバー３７と、作用レバー３７を第一の抽出経路１６側で保持するフック部３８を有するラッチレバー３９と、ラッチレバー３９を駆動して経路切替弁３３を第二の抽出経路２３に切替えるソレノイド４０を備えた。【選択図】図５
2009273681.tif 000002
【特許請求の範囲】
【請求項１】
飲料水を収容する容器と、前記容器に収容された飲料水を加熱保温する加熱装置と、粉末飲料などを密閉保存した飲料パックを収納固定するパック収納部と、前記飲料パックを開封すると共に熱湯を吐出する第一のインジェクターと、前記容器と前記第一のインジェクターを連通する第一の抽出経路の途中に配され熱湯を送る抽出装置と、前記抽出装置と前記第一のインジェクターの間に配した経路切替装置と、第二の抽出経路を介して前記経路切替装置と連通すると共に熱湯を吐出する第二のインジェクターとを備え、前記経路切替装置は、通常前記第二の抽出経路に連通し、切替軸を動作させることにより前記第一の抽出経路に切り替える経路切替弁と、外部操作により設定コースを選択するダイヤルと、前記ダイヤルの動作に連動すると共にカム作用部を形成したカムと、前記カム作用部の作用により前記切替軸に作用し前記第一の抽出経路に切替える作用レバーと、フック部を有すると共に前記作用レバーの作用により前記経路切替弁を前記第一の抽出経路に切り替えた状態で保持するラッチレバーと、前記ラッチレバーを動作させて前記フック部を移動させ前記作用レバーを解放し前記経路切替弁を前記第二の抽出経路に切り替えるソレノイドとを備えた飲料抽出機。
【請求項２】
ダイヤルに複数の切替位置を設け、前記複数の切替位置の中間位置で経路切替弁を切り替える請求項１に記載の飲料抽出機。
【請求項３】
経路切替装置をユニット化した請求項１または２に記載の飲料抽出機。
【請求項４】
ソレノイドを短時間駆動式とした請求項１〜３のいずれか１項に記載の飲料抽出機。
【請求項５】
一回の経路切替動作時に、ソレノイドを複数回短時間駆動する請求項１〜３のいずれか１項に記載の飲料抽出機。
【請求項６】
駆動電源として、商用電源を使用する第一の電源装置と、本体内蔵の第二の電源装置とを備え、前記第一の電源装置と前記第二の電源装置とを選択的に使用することができる請求項１〜５のいずれか１項に記載の飲料抽出機。
【発明の詳細な説明】
【技術分野】
【０００１】
本発明は、コーヒー、紅茶、ココアなどの飲料を一杯づつ密封した飲料パックによりいつでも新鮮でおいしい飲料が手軽に飲める飲料抽出機に関するものである。
【背景技術】
【０００２】
従来、この種の飲料抽出機は、開閉可能な飲料固定部を、操作レバーの押し下げ操作により開き、飲料パックを、開いた飲料固定部にセットし、飲料固定部を閉じ、操作レバーを押し下げることにより飲料パックを開封し、１つの抽出経路により飲料を抽出する構成となっている（例えば、特許文献１参照）。
【特許文献１】特開２００１−０７０１６５号公報
【発明の開示】
【発明が解決しようとする課題】
【０００３】
しかしながら、上記従来の飲料抽出機の構成では、１つの抽出経路による飲料抽出構成のため飲料の種類の拡大を図ることができないという課題を有していた。
【０００４】
本発明は、上記従来の課題を解決するもので、消費電力低減による省エネ、ソレノイドの小型化・コスト低減、さらに制御装置のコスト低減を実現した構成で飲料の種類が拡大できる飲料抽出機を提供することを目的とする。
【課題を解決するための手段】
【０００５】
上記従来の課題を解決するために本発明の飲料抽出機は、飲料水を収容する容器と、前記容器に収容された飲料水を加熱保温する加熱装置と、粉末飲料などを密閉保存した飲料パックを収納固定するパック収納部と、前記飲料パックを開封すると共に熱湯を吐出する第一のインジェクターと、前記容器と前記第一のインジェクターを連通する第一の抽出経路の途中に配され熱湯を送る抽出装置と、前記抽出装置と前記第一のインジェクターの間に配した経路切替装置と、第二の抽出経路を介して前記経路切替装置と連通すると共に熱湯を吐出する第二のインジェクターとを備え、前記経路切替装置は、通常前記第二の抽出経路に連通し、切替軸を動作させることにより前記第一の抽出経路に切り替える経路切替弁と、外部操作により設定コースを選択するダイヤルと、前記ダイヤルの動作に連動すると共にカム作用部を形成したカムと、前記カム作用部の作用により前記切替軸に作用し前記第一の抽出経路に切替える作用レバーと、フック部を有すると共に前記作用レバーの作用により前記経路切替弁を前記第一の抽出経路に切り替えた状態で保持するラッチレバーと、前記ラッチレバーを動作させて前記フック部を移動させ前記作用レバーを解放し前記経路切替弁を前記第二の抽出経路に切り替えるソレノイドとを備えたもので、外部からのダイヤル操作で、２つのインジェクターへの経路切替が簡単にできると共に抽出可能な飲料の種類を拡大することができる。また、経路切替の間、ソレノイドに連続通電する必要が無く、瞬時駆動で経路が切り換えられるので、ソレノイド駆動時の消費電力が大きく低減でき省エネを実現し、また瞬時駆動のため連続駆動型のソレノイドに比べソレノイドの小型化ができコスト低減もでき、さらにソレノイド駆動のための供給電源の供給電力量を小さくできるため制御装置のコスト低減も図ることができる飲料抽出機を提供することができる。
【発明の効果】
【０００６】
本発明の飲料抽出機は、ソレノイドの駆動は瞬時駆動ですむので、ソレノイドを連続通電する構成に比べ、消費電力が低減し、省エネ、ソレノイドの小型化・コスト低減、さらに制御装置のコスト低減を実現した構成で、飲料の種類が拡大できる。
【発明を実施するための最良の形態】
【０００７】
第１の発明は、飲料水を収容する容器と、前記容器に収容された飲料水を加熱保温する加熱装置と、粉末飲料などを密閉保存した飲料パックを収納固定するパック収納部と、前記飲料パックを開封すると共に熱湯を吐出する第一のインジェクターと、前記容器と前記第一のインジェクターを連通する第一の抽出経路の途中に配され熱湯を送る抽出装置と、前記抽出装置と前記第一のインジェクターの間に配した経路切替装置と、第二の抽出経路を介して前記経路切替装置と連通すると共に熱湯を吐出する第二のインジェクターとを備え、前記経路切替装置は、通常前記第二の抽出経路に連通し、切替軸を動作させることにより前記第一の抽出経路に切り替える経路切替弁と、外部操作により設定コースを選択するダイヤルと、前記ダイヤルの動作に連動すると共にカム作用部を形成したカムと、前記カム作用部の作用により前記切替軸に作用し前記第一の抽出経路に切替える作用レバーと、フック部を有すると共に前記作用レバーの作用により前記経路切替弁を前記第一の抽出経路に切り替えた状態で保持するラッチレバーと、前記ラッチレバーを動作させて前記フック部を移動させ前記作用レバーを解放し前記経路切替弁を前記第二の抽出経路に切り替えるソレノイドとを備えたもので、外部からのダイヤル操作で、２つのインジェクターへの経路切替が簡単にできると共に抽出可能な飲料の種類を拡大することができる。また、経路切替の間、ソレノイドに連続通電する必要が無く、瞬時駆動で経路が切り換えられるので、ソレノイド駆動時の消費電力が大きく低減でき省エネを実現し、また瞬時駆動のため連続駆動型のソレノイドに比べソレノイドの小型化ができコスト低減もでき、さらにソレノイド駆動のための供給電源の供給電力量を小さくできるため制御装置のコスト低減も図ることができる飲料抽出機を提供することができる。
【０００８】
第２の発明は、特に、第１の発明のダイヤルに複数の切替位置を設け、前記複数の切替位置の中間位置で経路切替弁を切り替えるもので、ダイヤルの操作のたびに確実に経路切替弁を切替えることができる飲料抽出機を提供することができる。
【０００９】
第３の発明は、特に、第１又は第２の発明の経路切替装置をユニット化したもので、組み立てが容易にできる飲料抽出機を提供することができる。
【００１０】
第４の発明は、特に、第１〜３のいずれかひつの発明のソレノイドを短時間駆動式としたもので、経路切替弁を切り替えている間、ソレノイド駆動のための電力量を、連続通電するタイプのソレノイドに比べ、大きく低減できる飲料抽出機を提供することができる。
【００１１】
第５の発明は、特に、第１〜３のいずれか一つの発明の飲料抽出機において、一回の経路切替動作時に、ソレノイドを複数回短時間駆動するもので、ソレノイド駆動による切替弁の切替え動作をより確実に行い、信頼性を向上させることができる飲料抽出機を提供することができる。
【００１２】
第６の発明は、特に、第１〜５のいずれか一つの発明の飲料抽出機において、駆動電源として、商用電源を使用する第一の電源装置と、本体内蔵の第二の電源装置とを備え、前記第一の電源装置と前記第二の電源装置とを選択的に使用することができるようにしたもので、第一の電源装置がない状況下でも第二の電源装置使用で飲料抽出ができる飲料抽出機を提供することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における飲料抽出機の全体構成図、図２（ａ）は、同飲
料抽出機の表示操作部の部分図、図２（ｂ）は、同飲料抽出機の経路切替装置の部分図、図３（ａ）は、同経路切替装置の第二の出水口への連通状態を示す拡大図、図３（ｂ）は、同経路切替装置の第一の出水口への連通状態を示す拡大図、図４（ａ）は、同表示操作部のダイヤル位置を示す図（「ミルク泡立て」設定状態）、図４（ｂ）は、同飲料抽出機でのミルク溶液作成状態を示す図、図５（ａ）は、同表示操作部のダイヤルの位置を示す図（「ミルク泡立て」設定状態）、図５（ｂ）は、同経路切替装置のソレノイド駆動時の瞬間及びミルク溶解状態を示す図、図５（ｃ）は、同表示操作部のダイヤル位置を示す図（「ミルク泡立て」設定状態）、図５（ｄ）は、同経路切替装置が切替り第二のインジェクターに切り替わった状態及びミルクの泡立て状態を示す図、図６（ａ）は、同表示操作部のダイヤルを「コーヒー／紅茶」に切替えた状態を示す図、図６（ｂ）は、同経路切替装置が第一のインジェクターに切り替わった状態及びコーヒー抽出後を示す図（コーヒー層の上に泡立てミルク層が構成された状態）である。
【００１５】
図１〜６において、本実施の形態における飲料抽出機は、本体１と、本体１内に収納され飲料水を収納する容器２と、容器２内の飲料水を加熱保温すると共に、容器２の底面に配された加熱装置３と、容器２の上部開放部を液密に覆い蒸気通路４を有する蓋５と、前面部を開放し、粉末飲料などを密閉保存した飲料パック８の固定用フランジ６を固定する固定部９を有するパック収納部１０と、パック収納部１０の前面開放部１０ａを覆い下方の水平方向に回転軸１１を有し本体１に回動自在に軸支され外部操作で開閉するパックドアー１２と、容器２内の熱湯を飲料パック８内に吐出する第一のインジェクター１３を有する飲料パック８の開封装置１４と、容器２の底面に設けられた出湯口１５と開封装置１４の第一のインジェクター１３を連通する第一の抽出経路１６と、第一の抽出経路１６の途中に配され容器２内の熱湯を飲料パック８に送る抽出装置１７と、抽出装置１７と第一のインジェクター１３の間の抽出経路１６の途中から分岐した空気経路１８と、空気経路１８の一端に設けられた空気ポンプ１９と、パックドアー１２の開閉動作を、飲料パック８を開封する開封装置１４に伝達する開封連動装置２０と、抽出経路１６の空気経路１８への分岐部から第一のインジェクター１３の間の途中に配した経路切替装置２１と、コップ２７などに直接熱湯を吐出する第二のインジェクター２２と、第二のインジェクター２２と経路切替装置２１とを連通する第二の抽出経路２３と、本体１の上部前面に配した表示操作部２４と、容器２の底の加熱装置３の中央部に設けられた温度センサー２５と、飲料パック８の有無を検知する飲料パック有無検知装置（図示せず）と、パックドアー１２の閉成を検知するドアー閉検知装置（図示せず）と、表示操作部２４、飲料パック有無検知装置、ドアー閉検知装置、温度センサー２５等からの信号により加熱装置３、空気ポンプ１９、抽出装置１７、経路切替装置２１等の電気的制御を行う制御装置２６と、抽出飲料を受けるコップ２７を置くカップスタンドと、本体１に対し着脱自在でこぼれた飲料を受けるトレイ２８とを備えている。
【００１６】
また、経路切替装置２１は、入水口２９と、第一のインジェクター１３に連通する第一の出水口３０と、第二のインジェクター２２に連通する第二の出水口３１と、通常第二の出水口３１に連通し外部からの押し込み作用により第一の出水口３０への連通に経路を切り替える切替軸３２とを備えた経路切替弁３３と、外部操作により設定コースを選択するダイヤル３４と、ダイヤル３４の動作に連動すると共にカム作用部３５を形成したカム３６と、本体１に回動自在に設けられると共に、カム作用部３５の作用により、経路切替弁３３の切替軸３２に作用し第一の抽出経路１６に切替える作用レバー３７と、フック部３８を形成し作用レバー３７の作用により経路切替弁３３を第一の抽出経路１６に切り替えた状態を保持するラッチレバー３９と、電気的信号によりラッチレバー３９を動作させ、作用レバー３７を保持しているフック部３８を移動させ作用レバー３７を解放し経路切替弁３３を第二の抽出経路２３に切り替えるソレノイド４０とを有している。
【００１７】
作用レバー３７とラッチレバー３９は、それぞればね３７ａ、３９ａにより一定方向に
付勢されている。パックドアー１２の回転軸１１の周辺には、第一のリンク腕４１を一体形成している。開封装置１４は、第一のインジェクター１３を一体成形した第一のリンク４２と、カム４３と第二のリンク腕４４を一体形成したカム機構４５が回動自在に本体１に軸支され、第一のリンク４２とカム４３との接触部の第一のリンク４２の上端にローラー４６を回動自在に装着し、第一のリンク４２は、上方にばね（図示せず）により付勢された状態で、上下方向にスライドするように本体１に支持され、第一のリンク腕４１の先端の回転軸４１ａとカム機構４５の第二のリンク腕４４の先端の回転軸４４ａとが開封連動装置２０の第二のリンク４７で連結され、パックドアー１２の開閉動作に連動して、カム機構４５のカム４３が回動するようになっている。
【００１８】
なお、経路切替装置２１には、スタートスイッチ４８と、ダイヤル３４のメニュー選択位置を検知するメニュー検知装置４９が設けられている。
【００１９】
以上のように構成された本実施の形態における飲料抽出機について、以下にその動作、作用を説明する。
【００２０】
まず、ミルクとコーヒーの２種類の飲料パックを使用したカプチーノ飲料の抽出について以下に述べる。
【００２１】
容器２内に飲料水を入れ加熱装置３で湯沸しし、温度センサー２５により検知した温度により制御装置２６で、飲料水が所定の温度で保温される。外部操作により、例えば４種類のメニュー選択可能なダイヤル３４を「ミルク泡立て」に合わす。
【００２２】
この操作により、図５に示すように、ダイヤル３４に連結されたカム３６が回転し、カム作用部３５が、ばね３７ａにより付勢されると共に軸支された作用レバー３７に作用し、ばね３７ａの付勢力に抗して、図の右方向に回転し、さらに経路切替弁３３の切替軸３２を押し込み、経路切替弁３３の経路を切り替えて、第一の出水口３０側を開口し、第一のインジェクター１３に連通する。
【００２３】
同時に、作用レバー３７の先端部が、ばね３９ａにより付勢され軸支されたラッチレバー３９のばね３９ａの付勢力に抗してフック部３８を乗り越え、切替軸３２を押し込んだ状態を維持するようにフック部３８が作用レバー３７を支持し、第一のインジェクター１３への連通状態を保持する。
【００２４】
パックドアー１２を開き、最初にミルク用の飲料パック８をパック収納部１０の所定位置にセット固定する。
【００２５】
パックドアー１２を閉じ、パックドアー１２に形成された第一のリンク腕４１から開封連動装置２０の第二のリンク４７を介し、カム機構４５の第二のリンク腕４４からカム４３を介し、第一のリンク４２のローラー４６から第一のリンク４２に伝達され、第一のインジェクター１３が下方に移動し、その先端部が飲料パック８のノズル７を突き刺し開封する。
【００２６】
次に、スタートスイッチ４８を押すことにより、メニュー検知装置４９からの信号により、あらかじめ決められたプログラムにより抽出装置１７が駆動し、熱湯を飲料パック８に送りミルクの飲料パック８の４辺の内、下方を熱湯で開封し、粉末ミルクをコップ２７内に送り出し、さらに粉末を熱湯で溶かしミルク溶液をつくる。
【００２７】
次に、制御装置２６により、ソレノイド４０を短時間駆動し、ラッチレバー３９の一端を引き込み、フック部３８を作用レバー３７の先端部の支持状態から解除し、作用レバー
３７をばね３７ａの付勢力で左回転させ、切替軸３２の押し込みを解除し、経路切替弁３３を、第二の抽出経路２３側に、すなわち第二のインジェクター２２側に切り替える。
【００２８】
その後、抽出装置１７を駆動し、先端部の開口面積が、第一のインジェクター１３より小さい第二のインジェクター２２から、コップ２７内のミルク溶液に熱湯を勢いよく噴射させミルクを泡立たせる。
【００２９】
次に、パックドアー１２を開き、最初のミルク用の飲料パック８を取り出し、図６に示すようにダイヤル３４を操作し、「コーヒー／紅茶」に切り替え、２つ目のコーヒー用の飲料パック８をセットする。
【００３０】
このダイヤル３４の操作により、カム作用部３５が作用レバー３７に作用し切替軸３２を押し込み、経路切替弁３３を第一の抽出経路１６側に切り換えて、第一のインジェクター１３に連通し、ラッチレバー３９のフック部３８により、作用レバー３７の先端部を支持し、経路切替弁３３を、第一のインジェクター１３への連通状態を保持する。
【００３１】
その後、スタートスイッチ４８を押すことにより、メニュー検知装置４９からの信号により、あらかじめ決められたプログラムにより、抽出装置１７が駆動し、２つ目のコーヒーの飲料パック８を開封し所定量の抽出を行い、コップ２７内の泡立てたミルクの下側にコーヒーを抽出することにより、コーヒー液層の上に泡立てられたミルクを載せたカプチーノができ上がる。
【００３２】
また、ダイヤル３４を操作し、他のメニューを使用したい場合は、例えば「ココア」の場合、ダイヤル３４を「ココア」に切替え、ココア用の飲料パック８をセットしてスタートスイッチ４８を押し、メニュー検知装置４９からの信号により、あらかじめ決められたプログラムにより、ココアの抽出を行うことができる。
【００３３】
さらに、「お湯」については、ダイヤル３４を「お湯」に切替え、メニュー検知装置４９からの信号により、飲料パック８なしの状態でスタートスイッチ４８を押している間、お湯のみを出湯させることもできる。
【００３４】
本実施の形態における飲料抽出機は、以上のように構成されているため、カプチーノのミルクの泡立てのように、１つの飲料パック８の抽出時に抽出経路を自動切替するメニューにおいても、ダイヤル３４の操作と、レバー機構（操作レバー３７、ランチレバー３９）と瞬時駆動型のソレノイド４０の組み合わせにより、経路切替の間ソレノイド４０を連続通電する構成に比べ、ソレノイド４０駆動時の消費電力が瞬時駆動のため大きく低減でき省エネが実現でき、また瞬時駆動のため、連続駆動型のソレノイドに比べソレノイドの小型化ができコスト低減もでき、さらにソレノイド駆動のための供給電源の供給電力量を小さくできるため制御装置２６のコスト低減も図ることができ、さらに抽出可能な飲料の種類を拡大することができる飲料抽出機を提供することができるものである。
【００３５】
また、本実施の形態では、ダイヤル３４に４箇所あるメニュー選択位置の４箇所の切替位置の中間位置で、経路切替弁３３を第一のインジェクター１３と第二のインジェクター２２のいずれかに切り替える構成、すなわち、ダイヤル３４の操作のたびにカム作用部３５が作用レバー３７に作用し、作用レバー３７を介し経路切替弁３３に作用し、毎回経路切替え動作を実行する構成としているため、確実に経路切替動作を行うことができる飲料抽出機を提供することができるものである。
【００３６】
又、本実施の形態では、ダイヤル３４の操作に連動するカム３６、作用レバー３７、ラッチレバー３９、ソレノイド４０、経路切替弁３３など多くの部品を一箇所に集約させユ
ニット化して経路切替装置２１としているので、本体１への組み立てが容易にできる。また、経路切替装置２１のユニット単独での機能確認ができるため、品質の向上を図ることも可能になるものである。
【００３７】
また、ダイヤル３４に連動したカム３６と、作用レバー３７とラッチレバー３９とソレノイド４０の組み合わせにより、ソレノイド４０を制御装置２６により、一回の経路切替動作において、ソレノイド４０を一回の短時間駆動でラッチレバー３９を動かし作用レバー３７の解除を行うようにしているので、経路切替の間ソレノイド４０を連続通電する構成に比べ、経路切替動作のためのソレノイド駆動電力が大幅に省エネ化でき、また、連続通電タイプのソレノイドに比べ、ソレノイド４０の小型化ができコスト低減も図れ、さらにソレノイド駆動のための供給電源の供給電力量を小さくできるため制御装置２６のコスト低減も図ることができるものである。
【００３８】
尚、一回の経路切替動作時に、短時間に、ソレノイド４０を複数回駆動するようにすれば、わずかな消費電力量の増加で、ソレノイド４０による経路切替動作をより確実に実行することができ、動作の信頼性を向上させることができるものである。
【００３９】
（実施の形態２）
図７は、本発明の第２の実施の形態における飲料抽出機の全体構成を示す図である。尚、上記第１の実施の形態における飲料抽出機と同一部分については、同一符号を付してその説明を省略する。
【００４０】
本実施の形態における飲料抽出機は、図７に示すように、着脱可能なマグネットプラグ方式の電源コード５０で結合され、商用電源を使用する第一の電源装置５１と、本体１に内蔵され、乾電池または二次電池または電気二重層コンデンサなどからなる第二の電源装置５２とを備え、第一の電源装置５１と第二の電源装置５２とを選択的に使用することができるようにしたもので、他の構成は、上記第１の実施の形態における飲料抽出機と同一である。
【００４１】
本実施の形態における飲料抽出機は、以上のように構成されているので、例えば、第二の電源装置５２を電気二重層コンデンサとした場合、商用電源の第一の電源装置５１による湯沸し中に、電気二重層コンデンサを充電しておき、保温に切り替わった後、電源コード５０を外し、第一の電源装置５１からの電力供給をなくし、本体１を商用電源のないところに移動させて使用する場合、電力供給能力が限られた第二の電源装置５２使用時でも飲料抽出が多くできるように消費電力量を少なくするため、消費電力量の多い連続通電タイプのソレノイド方式ではなく、短時間駆動のソレノイド駆動が可能な構成としているため、商用電源なしでも、抽出途中に抽出経路を自動的に切り替えて作る飲料パック８を使用したメニューが楽しめる飲料抽出機を提供することができるものである。
【産業上の利用可能性】
【００４２】
以上のように本発明に係る飲料抽出機は、省エネ、小型、低コストで、飲料の種類が拡大できるもので、各種家庭用、業務用飲料抽出機に適用できる。
【図面の簡単な説明】
【００４３】
【図１】本発明の実施の形態１における飲料抽出機の全体構成図
【図２】（ａ）同飲料抽出機の表示操作部の部分図（ｂ）同飲料抽出機の経路切替装置の部分図
【図３】（ａ）同経路切替装置の第二の出水口への連通状態を示す拡大図（ｂ）同経路切替装置の第一の出水口への連通状態を示す拡大図
【図４】（ａ）同表示操作部のダイヤル位置を示す図（「ミルク泡立て」設定状態）（ｂ）同飲料抽出機でのミルク溶液作成状態を示す図
【図５】（ａ）同表示操作部のダイヤルの位置を示す図（「ミルク泡立て」設定状態）（ｂ）同経路切替装置のソレノイド駆動時の瞬間及びミルク溶解状態を示す図（ｃ）同表示操作部のダイヤル位置を示す図（「ミルク泡立て」設定状態）（ｄ）同経路切替装置が切替り第二のインジェクターに切り替わった状態及びミルクの泡立て状態を示す図
【図６】（ａ）同表示操作部のダイヤルを「コーヒー／紅茶」に切替えた状態を示す図（ｂ）同経路切替装置が第一のインジェクターに切り替わった状態及びコーヒー抽出後を示す図（コーヒー層の上に泡立てミルク層が構成された状態）
【図７】本発明の実施の形態２における飲料抽出機の全体構成を示す図
【符号の説明】
【００４４】
２  容器
３  加熱装置
５  蓋
８  飲料パック
１０  パック収納部
１２  パックドアー
１３  第一のインジェクター
１４  開封装置
１５  出湯口
１６  第一の抽出経路
１７  抽出装置
２１  経路切替装置
２２  第二のインジェクター
２３  第二の抽出経路
３３  経路切替弁
３４  ダイヤル
３５  カム作用部
３６  カム
３７  作用レバー
３８  フック部
３９  ラッチレバー
４０  ソレノイド
５１  第一の電源装置
５２  第二の電源装置
【図１】
2009273681.tif 000003
【図２】
2009273681.tif 000004
【図３】
2009273681.tif 000005
【図４】
2009273681.tif 000006
【図５】
2009273681.tif 000007
【図６】
2009273681.tif 000008
【図７】
2009273681.tif 000009